(57)【要約】      （修正有）【課題】比較的重い前扉を備える遊技機において、前扉は開閉時に回動が制動されることにより、遊技機のメンテナンス作業時に作業者が前扉に手を挟まれることが少ない遊技機を提供する。【解決手段】遊技機のヒンジ機構２は、抜き差し可能な垂直ピンを有する上下方向に個の差し込みヒンジからなり、該差し込みヒンジの少なくとも一方が制動ヒンジ１０であり、制動ヒンジ１０は、筐体側壁側に設置し且つ垂直ピンに相当する回動ピボット３８を有するヒンジ本体４０と、前扉側に設置し且つピボット３８が挿入可能な垂直孔を有するリーフ体４２とで構成し、回動ピボット３８側壁の突起６０がリーフ体４２の垂直孔に差し込んだ際に該垂直孔の凹部で係止されることにより、前扉を開閉する際に回動ピボット３８がヒンジ本体４０に対して制動回転する。  【選択図】図１
0003187765.tif 000002
【実用新案登録請求の範囲】
【請求項１】
前面に開口部を有する筐体と、該筐体の開口部を閉鎖するように傾斜配置する前扉と、該前扉を筐体に着脱可能に取り付けるヒンジ機構を有する遊技機において、前記ヒンジ機構は、抜き差し可能な垂直ピンを有する上下方向に２個の差し込みヒンジからなり、該差し込みヒンジの少なくとも一方が制動ヒンジであり、制動ヒンジは、筐体側壁側に設置し且つ垂直ピンに相当する回動ピボットを有するヒンジ本体と、前扉側に設置し且つピボットが挿入可能な垂直孔を有するリーフ体とで構成し、回動ピボット側壁の突起がリーフ体の垂直孔に差し込んだ際に該垂直孔の凹部で係止されることにより、前扉を開閉する際に回動ピボットがヒンジ本体に対して制動回転する遊技機。
【請求項２】
前面に開口部を有する筐体と、該筐体の開口部を閉鎖するように傾斜配置する前扉と、該前扉を筐体に着脱可能に取り付けるヒンジ機構を有する遊技機において、前記ヒンジ機構は、抜き差し可能な垂直ピンを有する上下方向に２個の差し込みヒンジからなり、両差し込みヒンジの間に制動ヒンジを設置し、制動ヒンジは、筐体側壁側に設置し且つ垂直ピンに相当する回動ピボットを有するヒンジ本体と、前扉側に設置し且つピボットが挿入可能な垂直孔を有するリーフ体とで構成し、回動ピボット側壁の突起がリーフ体の垂直孔に差し込んだ際に該垂直孔の凹部で係止されることにより、前扉を開閉する際に回動ピボットがヒンジ本体に対して制動回転する遊技機。
【請求項３】
前扉側に設置するリーフ体は、前扉側の後方縦縁に沿って取り付ける縦フレームと一体である請求項１または２記載の遊技機。
【請求項４】
前記ヒンジ本体は、回動ピボットを密に嵌入するプラスチック制動筒体と、制動筒体を静止収納する貫通孔を設けたブラケットとを有し、回動ピボットを制動筒体内に圧入することで制動可能に垂直保持し、該ブラケットを筐体側壁にボルト止めする請求項１または２記載の遊技機。
【請求項５】
前記ヒンジ本体は、回動ピボットに密に嵌装するプラスチック制動部材と、制動部材の外周を取り囲む保持金具と、制動部材および保持金具の平行延長部を貫通してブラケットにねじ込みするボルトとを有し、該ボルトによって保持金具で制動部材を内方へ締め付けて回動ピボットを制動可能に垂直保持し、該ブラケットを筐体側壁にボルト止めする請求項１または２記載の遊技機。
【請求項６】
前記ヒンジ本体は、回動ピボットに嵌入する貫通孔を設けた水平部を有するＬ字金具と、Ｌ字金具の水平部の両側面に隣接配置するプラスチック制動円板と、各制動円板と接触し且つピボットとともに回動または静止するワッシャとで構成し、少なくとも１枚の皿バネを回動ピボットと嵌合し、ヒンジ本体全体をナットで締め付けることにより、前扉を旋回すると制動円板の表面とワッシャの表面とが摩擦面となり、Ｌ字金具の垂直部を筐体側壁にボルト止めする請求項１または２記載の遊技機。
【考案の詳細な説明】
【技術分野】
【０００１】
本考案は、比較的重い前扉を備える遊技機について、該前扉は開閉時に回動が制動されることにより、遊技機のメンテナンス作業時に作業者が前扉に手を挟まれることが少ない遊技機に関する。
【背景技術】
【０００２】
パチスロと称する遊技機は、通常、複数の図柄がそれぞれの表面に配された複数のリールを有し、遊技メダルやコインが投入され、遊技者によりスタートレバーが操作され、複数のリールの回転の開始を要求するスタートスイッチと、複数のリールのそれぞれに対応して設けられたストップボタンが遊技者により押されたことを検出し、スタートレバーの操作を検出すると、乱数値に基づいて抽籤を行い、この抽籤の結果とストップボタンが操作されたことを検出したタイミングとに基づいてリールの回転を停止する。
【０００３】
この種の遊技機は、既に数多く特許出願されており、例えば、特開２００７−２０２６９８号や特開２０１０−２９４０７号などから、前面に開口部を有する筐体と、この筐体の側面に回動可能に連結してこの開口を開閉する前扉とを備えることは公知である。この種の遊技機では、筐体にシリンダ錠を設置し且つ前扉の開閉側の前面に鍵穴を設け、該鍵穴に鍵を挿入・回動し、該前扉を施錠または解錠できる。
【先行技術文献】
【特許文献】
【０００４】
【特許文献１】特開２００７−２０２６９８号公報
【特許文献２】特開２０１０−２９４０７号公報
【特許文献２】実用新案登録第３１８４４１６号公報
【考案の概要】
【考案が解決しようとする課題】
【０００５】
この種の遊技機について、前扉の開閉は日常のメンテナンスを行うために必要であるけれども、前扉の開閉を行うヒンジに関する提案は特に存在しない。例えば、特開２０１０−２９４０７号では、前扉の施錠と解錠に関して第１ロック機構および第２ロック機構を備えているけれども、前扉の開閉を行うヒンジ機構に関する説明は存在しない。したがって、この種の遊技機で用いるヒンジは、前扉の重量を支えるために比較的大型であっても、構造的には従来と同様の製品であると推定できる。
【０００６】
前扉の開閉は、コイン補充などの日々のメンテナンスを行うために行い、機器の全面的な補修や交換の際には前扉自体を筐体から取り外す。このため、この種の遊技機で用いるヒンジは、通常、筐体側壁側に設置した垂直ピンと、前扉側に設置し且つピン孔を穿孔した水平プレートで構成する上下２組の差し込みヒンジからなり（図１参照）、垂直ピンを前扉側に設置したり、且つピン孔を穿孔した水平プレートを筐体側壁側に設置することも当然可能である。
【０００７】
既存の差し込みヒンジを取り付けて前扉を開閉可能とした遊技機では、前扉を開いて従業員が日常のメンテナンスを行っている時に、重さが２０ｋｇ近い前扉が自然に閉じてきて従業員の指を挟む事故が頻発している。この前扉は、完全に垂直方向で筐体に取り付けるのではなく、該前扉の上方が５度前後後方へ傾いているため、開扉しておいてもその重量で自然に閉じてくることが問題である。
【０００８】
本考案者は、自然に閉じやすい重い前扉を有する遊技機に関する前記の問題点を改善するために、既に実用新案登録第３１８４４１６号を提案している。この考案で用いる回転制動ヒンジは、前扉の開放方向だけを制動するために便利であるけれども、精密機器であるワンウェイ輪を必ず使用するのである程度高価になってしまう。また、回転制動ヒンジのバレルに設けた貫通孔の内径がピボットの直径とほぼ同じであるので、該ピボットをバレル貫通孔に差し込む際に多少逡巡し、重い前扉の取付作業が多少長くなる。
【０００９】
本考案は、遊技機の前扉の開閉に関する前記の諸問題を改善するために、比較的単純な構造である制動ヒンジをヒンジ機構に少なくとも１個用いることにより、前扉の開閉が制動可能であってもコストアップが比較的小さい遊技機を提供することを目的としている。本考案の他の目的は、制動ヒンジの回動ピボットをリーフ体の垂直孔に差し込むと容易に静止される遊技機を提供することである。
【課題を解決するための手段】
【００１０】
本考案に係る遊技機は、前面に開口部を有する筐体と、該筐体の開口部を閉鎖するように傾斜配置する前扉と、該前扉を筐体に着脱可能に取り付けるヒンジ機構を有する。この遊技機において、ヒンジ機構は、抜き差し可能な垂直ピンを有する上下方向に２個の差し込みヒンジからなり、該差し込みヒンジの少なくとも一方が制動ヒンジであり、制動ヒンジは、筐体側壁側に設置し且つ垂直ピンに相当する回動ピボットを有するヒンジ本体と、前扉側に設置し且つピボットが挿入可能な垂直孔を有するリーフ体とで構成し、回動ピボット側壁の突起がリーフ体の垂直孔に差し込んだ際に該垂直孔の凹部で係止されることにより、前扉を開閉する際に回動ピボットがヒンジ本体に対して制動回転する。
【００１１】
本考案に係る別の遊技機において、ヒンジ機構は、抜き差し可能な垂直ピンを有する上下方向に２個の差し込みヒンジからなり、両差し込みヒンジの間に制動ヒンジを設置し、制動ヒンジは、筐体側壁側に設置し且つ垂直ピンに相当する回動ピボットを有するヒンジ本体と、前扉側に設置し且つピボットが挿入可能な垂直孔を有するリーフ体とで構成し、回動ピボット側壁の突起がリーフ体の垂直孔に差し込んだ際に該垂直孔の凹部で係止されることにより、前扉を開閉する際に回動ピボットがヒンジ本体に対して制動回転する。
【００１２】
本考案の遊技機では、前扉側に設置するリーフ体は、前扉側の後方縦縁に沿って取り付ける縦フレームと一体であってもよい。
【００１３】
本考案の遊技機において、制動ヒンジのヒンジ本体は、回動ピボットを密に嵌入するプラスチック制動筒体と、制動筒体を静止収納する貫通孔を設けたブラケットとを有すると好ましい。この回動ピボットを制動筒体内に圧入することで制動可能に垂直保持し、該ブラケットを筐体側壁にボルト止めする。
【００１４】
制動ヒンジのヒンジ本体は、回動ピボットに密に嵌装するプラスチック制動部材と、制動部材の外周を取り囲む保持金具と、制動部材および保持金具の平行延長部を貫通してブラケットにねじ込みするボルトとを有していてもよい。このボルトによって保持金具で制動部材を内方へ締め付けて回動ピボットを制動可能に垂直保持し、該ブラケットを筐体側壁にボルト止めする。
【００１５】
また、制動ヒンジのヒンジ本体は、回動ピボットに嵌入する貫通孔を設けた水平部を有するＬ字金具と、Ｌ字金具の水平部の両側面に隣接配置するプラスチック制動円板と、各制動円板と接触し且つピボットとともに回動または静止するワッシャとで構成してもよい。少なくとも１枚の皿バネを回動ピボットと嵌合し、ヒンジ本体全体をナットで締め付けることにより、前扉を旋回すると制動円板の表面とワッシャの表面とが摩擦面となり、Ｌ字金具の垂直部を筐体側壁にボルト止めする。
【考案の効果】
【００１６】
本考案に係る遊技機は、ヒンジ機構に少なくとも一部に制動ヒンジを取り付けることにより、前扉を開閉する際に効果的に制動することにより、開扉しておいてもその重量で自然に閉じてくることがなく、日常のメンテナンスを行う時に従業員が前扉に指を挟む事故を未然に防止できる。本考案の遊技機は、従来と同様に前扉自体を筐体から取り外すことが可能であるから、機器の全面的な補修や交換を行うことも当然可能である。
【００１７】
本考案の遊技機は、精密機器である高価なワンウェイ輪を使用せず、比較的単純な構造である制動ヒンジをヒンジ機構に少なくとも１個用いることにより、前扉の開閉が制動可能であってもコストアップが比較的小さいという利点がある。また、この制動ヒンジでは、回動ピボットをリーフ体の垂直孔に差し込むだけで容易に静止されるので、該回動ピボットをリーフ体の垂直孔に差し込む際に逡巡することがなく、重い前扉の取付作業は従来と同様に短時間で完了する。
【図面の簡単な説明】
【００１８】
【図１】本考案に係る遊技機で用いるヒンジ機構を開扉した状態で示す要部側面図である。
【図２】本考案に係る遊技機の一例を示す概略斜視図である。
【図３】図２の遊技機を開扉した状態を示す概略斜視図である。
【図４】図１のＡ−Ａ線に沿って切断した拡大水平断面図である。
【図５】圧入型の制動ヒンジのヒンジ本体を示す拡大側面図である。
【図６】図５のヒンジ本体をＢ方向から示す拡大側面図である。
【図７】図５のヒンジ本体をＣ方向から示す拡大側面図である。
【図８】図５のヒンジ本体の縦断面図である。
【図９】図５から図８に示すヒンジ本体のプラスチック制動筒体を示す斜視図であり、該制動筒体をブラケットから抜き出している。
【図１０】図１と異なるヒンジ機構を概略的に示し、一部を切り欠いている要部側面図である。
【図１１】締め付け型の制動ヒンジのヒンジ本体を示す斜視図である。
【図１２】図１１のヒンジ本体の横断面図である。
【図１３】ディスク型の制動ヒンジのヒンジ本体を示す斜視図である。
【図１４】図１３のヒンジ本体を分解して示す側面図である。
【図１５】図１３のヒンジ本体を図１４のＤ−Ｄ線に沿って切断した断面図である。
【考案を実施するための形態】
【００１９】
本考案を図面によって説明すると、図１に例示するヒンジ機構２は、遊技機であるパチスロ機１（図２）において、前扉７を筐体５に着脱可能に取り付けるために使用する。ヒンジ機構２では、上下方向に分けて配置される通常の差し込みヒンジ８（図１０）の一方または両方を制動ヒンジ１０に代替えする。通常の差し込みヒンジ８は、抜き差し可能な固定の垂直ピン４を有し（図１０参照）、前扉７が大きくて重い場合には３個以上設置することも可能である。図１では、２個の差し込みヒンジの両方を制動ヒンジ１０に交換している。制動ヒンジ１０は、２個の差し込みヒンジの片方だけに代替えされてもよく、図１０に示すように２個の差し込みヒンジの間に別個に設置してもよい。
【００２０】
図２および図３に例示するように、本考案における遊技機とは、いわゆるパチスロ機１を意味し、加えてパチスロ機でない通常のパチンコ台や他のゲーム機にも適用可能である。遊技機の一例であるパチスロ機１は、前面に開口部３（図３）を有する筐体５と、該筐体の開口部を閉鎖するように傾斜配置する前扉７とを備える。前扉７は、１枚で筐体５の開口部３を閉鎖する態様が一般的であり、さらに上下に分割した２枚または３枚以上で閉鎖する構造のものでもよい。
【００２１】
パチスロ機１は、例えば、リール１１，１２，１３および回路基板などを収容する筐体５を有し、前扉７を筐体５に対して開閉可能に取り付ける。筐体５の内部には、３本のリール１１，１２，１３を横方向に平行に配置し、これらのリールを前扉に設置する構造でもよい。各リール１１，１２，１３は、円筒状のフレームの周面において、多数の図柄を回転方向に沿って連続的に配列した帯状のシートを貼り付ける。
【００２２】
前扉７の中央には液晶表示体１４を設け、該液晶表示体は、表示窓１６，１８，２０を含む平坦な表示画面からなり、前扉７の閉鎖時に、正面から見て３本のリール１１，１２，１３と重合して前方側に位置するように配置する。表示窓１６，１８，２０は、各リール１１，１２，１３のそれぞれに対応するように配列し、その背後に位置するリール１１，１２，１３を透視可能な構造である。表示窓１６，１８，２０は、図柄の表示窓としての機能を果たし、背後のリール１１，１２，１３の回転および停止の動作が遊技者側から視認可能である。液晶表示体１４は、表示窓１６，１８，２０を含めた表示画面の全体において、映像の表示を行ってゲームを演出する。
【００２３】
表示窓１６，１８，２０は、背後のリール１１，１２，１３の回転を停止したとき、各リール１１，１２，１３の表面に配列した多数の図柄の中から、その枠内の上段、中段、下段の領域においてそれぞれ１個の図柄を表示する。また、各表示窓１６，１８，２０の上段、中段、下段の領域において、予め定めたいずれかをそれぞれ組合せる擬似的なラインを入賞か否かの判定を行う対象となる入賞判定ラインとして定義する。
【００２４】
一方、前扉７には、遊技者によるゲーム操作の対象となる各部材を設ける。メダル投入口２２は、遊技者によって外部から投下されるメダルを受け入れる。メダル投入口２２に投入されたメダルは、例えば、所定枚数の３枚を上限として１回のゲームに使用されることになり、クレジット機能として、所定枚数を超えたメダル分はパチスロ機１の内部に預けることができる。ベットボタン２４は、パチスロ機１の内部に預けられたメダルから１回のゲームに投入する枚数を決定する。精算ボタン２６は、パチスロ機１の内部に預けられたメダルを外部に引き出す。スタートレバー２７は、全てのリール１１，１２，１３の回転を開始する。ストップボタン２８，３０，３２は、各リール１１，１２，１３のそれぞれに対応づけ、対応するリール１１，１２，１３の回転を停止する。
【００２５】
図１に示すヒンジ機構２は、一般に、筐体５側に取り付ける縦フレーム３４と、前扉７側の後方縦縁に沿って取り付ける縦フレーム３６とを備え、図３の場合には制動ヒンジ１０を筐体５と前扉７に直接取り付ける。筐体５側の縦フレーム３４には、回動ピボット３８を有する制動ヒンジ１０のヒンジ本体４０を縦方向に所定間隔をおいて固着する。一方、前扉７側の縦フレーム３６には、該フレームと一体のリーフ体４２をヒンジ本体４０と対応させて形成する。このヒンジ機構は、図３のようにフレーム３４，３６を介さずに筐体５および前扉７に直接固着してもよい。図示しないけれども、筐体５側の縦フレーム３４にリーフ体を形成し、且つ前扉７側の縦フレーム３６に制動ヒンジのヒンジ本体を取り付けることも可能であり、この際には回動ピボットを下向きに配置することを要する。
【００２６】
縦フレーム３４，３６は、図４において断面形状がＵ字形および部分湾曲の直線状であっても、両フレームは筐体５および前扉７の形状に応じて任意に変更でき、前扉７の閉鎖時に筐体５に密接配置することが可能である。図４では、前扉７つまり縦フレーム３６を開放した状態を示し、図４の一点鎖線が前扉７つまり縦フレーム３６を閉じた状態を示している。図示の縦フレーム３６は、通常、前扉７の周壁裏側に取り付ける。
【００２７】
図１に示すリーフ体４２は、縦フレーム３６において、横方向に延びる一部分を筒状に曲げることにより、その円筒部４４によってピボット３８が挿入可能である垂直孔４５（図４）を形成し、さらに完全な円形にまで曲げないことでピボット係止用の凹部に相当する間隙４６が存在する。垂直孔４５の内径は、回動ピボット３８の直径よりも僅かに大きい。また、このリーフ体は、縦フレーム３６と別体の部材からなり、該部材を縦フレーム３４にボルト止めすることも可能である。このリーフ体は、垂直孔を穿孔した水平プレート４８（図１０）などで構成してもよく、該垂直孔にピボット係止用の凹部に相当する切り込みを設ければよい。
【００２８】
制動ヒンジ１０について、図５から図８は圧入型を示し、図１１と図１２は締め付け型および図１３から図１５は制動ディスク型であり、いずれのタイプも本考案に適用可能である。図５から図８において、圧入型の制動ヒンジ１０のヒンジ本体４０は、例えば、回動ピボット３８を制動可能に垂直保持する矩形平面のブラケット５０を有し、該ブラケットの平面形状は任意である。ブラケット５０には垂直方向に貫通孔５２（図８）を設け、該貫通孔に制動筒体８８（図９）を回動不能に嵌合し、さらにピボット３８を圧入する（図８参照）。この結果、回動ピボット３８は制動筒体８８の回りで制動回転できる。一方、図６と図７に示すように、ブラケット５０の側壁には、ネジ孔５４を形成し、該ネジ孔にボルトをねじ込んでブラケット５０を筐体５側の縦フレーム３４に固着する。
【００２９】
回動ピボット３８は細長い円柱形であって、その先端５７をリーフ体４２の垂直孔４５に挿入しやすいように円錐状に加工すると好ましい。回動ピボット３８は、単独の金属製であっても、図８のように金属シャフト５８を硬質樹脂製のプラグ５９にインサートして一体化してもよい。回動ピボット３８は、その周壁において軸線と平行に直線状の突起６０を形成し、該突起はピボット３８の周壁から外方へ突出させ、垂直孔４５の凹部に嵌まりやすいように先端をテーパ状にする。また、前扉７を筐体５の開口部３に取り付ける際に、回動ピボット３８の軸心が垂直孔４５（図４）のそれと容易に一致するように、ヒンジ本体４０とリーフ体４２について必要ならば適当な厚みの補助板などを重ねて縦フレーム３４，３６に設置しても、このようなフレームを用いずに筐体５の側壁や前扉７の所定個所を凸状に変形してもよい。
【００３０】
回動ピボット３８の挿入時において、突起６０は、垂直孔４５の凹部つまり円筒部４４の間隙４６にぴったり嵌まることが好ましい。このため、垂直孔４５の凹部が円筒部４４の間隙４６であれば、突起６０の水平断面は図４に示すようにピボット３８の周面から接線状に延設する。垂直孔４５の凹部が単なる矩形状であれば、突起６０の水平断面も矩形状にすればよく、該リーフ体が水平プレート４８（図１０参照）であれば，それに応じて突起６０も短寸にすればよい。回動ピボット３８をリーフ体４２の垂直孔４５に差し込むと、突起６０が円筒部４４の間隙４６に嵌入して係止されることにより、該回動ピボットはリーフ体４２とともに制動回転できる。
【００３１】
ヒンジ機構２において、図１０では、制動ヒンジ７０を通常の差し込みヒンジ８，８の間に配置している。通常の差し込みヒンジ８は、例えば、筐体５の側壁側にブラケット７１を介して設置した上向き固定の垂直ピン４と、前扉７側に設置し且つピン孔６４を穿孔した水平プレート４８で構成すればよく、通常、該水平プレートの垂直部６６を前扉７にボルト止めする。
【００３２】
パチスロ機１において制動ヒンジ１０を設置すると、該制動ヒンジにおいて、前扉７を開閉する際に回動ピボット３８はリーフ体４２とともに回転するとともに、該ピボットの回転をヒンジ本体４０で制動する。このため、前扉７は開閉方向のいずれにも制動回転することにより、パチスロ機１は、前扉７を開扉しておいてもその重量で自然に閉じてくることがなく、日常のメンテナンスを行う時に従業員が前扉に指を挟む事故を未然に防止できる。前扉７を開閉する際には、回動ピボット３８がヒンジ本体４０内で制動回転できるように、前扉７の開閉方向に力を多少加えることが必要である。
【００３３】
前扉７を筐体５から取り外すには、リーフ体４２を回動ピボット３８から引き抜き、必要ならば差し込みヒンジ８では水平プレート４８を垂直ピン４から引き抜くと、パチスロ機１で従来と同様に前扉７の取り外しができ、該パチスロ機の全面的な補修や交換を行うことが可能である。一方、前扉７を筐体５に取り付けるために、制動ヒンジ１０において回動ピボット３８をリーフ体４２の垂直孔４５に挿入し、必要ならば差し込みヒンジ８において水平プレート４８を垂直ピン４と嵌合すると、前扉７を筐体５の開口部３に容易に取り付けることができる。
【実施例１】
【００３４】
次に、本考案を実施例に基づいて説明するが、本考案は実施例に限定されるものではない。本考案に係る遊技機の一例であるパチスロ機１は、図１に示すヒンジ機構２を有し、該ヒンジ機構は、筐体５側に取り付ける縦フレーム３４と、前扉７側の後方縦縁に沿って取り付ける縦フレーム３６とを備え、両フレームは金属製である。筐体５側の縦フレーム３４には、２個の制動ヒンジ１０のヒンジ本体４０を縦方向に所定間隔をおいて固着する。一方、前扉７側の縦フレーム３６には、該フレームと一体のリーフ体４２をヒンジ本体４０と対応させて形成する。
【００３５】
図１に示すリーフ体４２は、縦フレーム３６において、横方向に延びる一部分を筒状に曲げることにより、その円筒部４４によって垂直孔４５（図４）を形成し、さらに完全な円形にまで曲げないことでピボット係止用の間隙４６が存在する。横方向に延びる一部分は、ヒンジ本体４０の位置と対応させて縦方向に所定間隔をおき、実際には縦フレーム３６の上下端部近傍に位置する。
【００３６】
図５から図８に示す圧入型の制動ヒンジ１０のヒンジ本体４０は、回動ピボット３８を制動可能に垂直保持する矩形平面のブラケット５０を有し、該ブラケットはガラス繊維強化ナイロン製である。ブラケット５０には垂直方向に貫通孔５２（図８）を設け、該貫通孔に制動筒体８８（図９）を回動不能に嵌合し、さらにピボット３８を圧入する（図８参照）。この結果、回動ピボット３８は制動筒体８８の回りで制動回転できる。ブラケット５０の側壁には、図６と図７に示すように、ネジ孔５４と２個の位置決め突片５６，５６を形成し、該ネジ孔にボルトをねじ込んでブラケット５０を筐体５側の縦フレーム３４に固着できる。
【００３７】
回動ピボット３８は細長い円柱形であって、リーフ体４２の垂直孔４５に挿入しやすいようにその先端５７を円錐状に加工する。回動ピボット３８は、図８のように金属シャフト５８をガラス繊維強化ナイロン製のプラグ５９にインサートして一体化する。回動ピボット３８は、その周壁において軸線と平行に直線状の突起６０を形成し、該突起はピボット３８の周壁から外方へ突出させ、リーフ体４２の円筒部４４に嵌まりやすいように先端をテーパ状にする。
【００３８】
図９に示す制動筒体８８は、フランジ部９０および円筒部９２とからなり、該円筒部の外周壁に軸方向のキー突条９３を形成する。円筒部９２の外径は、貫通孔５２の直径とほぼ等しく、該円筒部の内径は非圧入状態で回動ピボット３８の直径よりも僅かに小さい。制動筒体８８は、例えば、耐磨耗性のポリアセタール製であるので長期間使用することが可能である。制動筒体８８を上方から貫通孔５２内に収納すると、軸方向に設けたキー突条９３が貫通孔５２のキー溝と係合して静止し、且つフランジ部９０の下側隅入れ部９４が貫通孔５２の面取り周縁（図示しない）と密接することにより、制動筒体８８はフランジ部９０を除いて貫通孔５２内に完全に嵌り込んで静止する。
【００３９】
制動筒体８８の円筒部９２は、垂直貫通孔５２の深さと同じまたはそれ以下の長さである。制動筒体８８を貫通孔５２内に収納すると、フランジ部９０が回動ピボット３８のつば部９５の下面と接触する。回動ピボット３８を制動筒体８８に圧入通過させると、該ピボットを制動回転可能に支持できる。ピボット３８には、円板状のワッシャ９６を嵌め、該ワッシャの中心孔をピボット３８の異形端と嵌合させてカシメ止めする。ワッシャ９６の直径は、貫通孔５２の内径よりも大きく、該ワッシャの代わりに、Ｅリングなどのスナップリングと溝形成、リングのねじ止めなどでピボット３８の抜け出しを防止する。
【００４０】
図１において、縦フレーム３４には、制動ヒンジ１０の上方に矩形状の板バネ６８の上方部を取り付け、該板バネの下方部は僅かに内方へ傾斜している。前扉７の取り付け時において、リーフ体４２の円筒部４４をヒンジ本体４０の回動ピボット３８に嵌め、該円筒部はその周壁が板バネ６８の下方部を押しながら下降し、該円筒部の下端壁が回動ピボット３８のつば部９５に接触すると、円筒部４４の周壁が板バネ６８の押圧を解放することにより、該板バネの下方部は元の位置に戻る。この結果、前扉７を勝手に取り外そうとしても、板バネ６８がリーフ体４２の円筒部４４の上昇移動を阻止するので、前扉７の取り外しを防ぐことで不正行為を防止できる。前扉７を取り外すには、板バネ６８を予め内方へ押し込むことが必要である。
【００４１】
前扉７の取り付け時において、リーフ体４２の円筒部４４をヒンジ本体４０，４０の回動ピボット３８とそれぞれ嵌合すると、突起６０が円筒部４４の間隙４６にぴったり嵌まることにより、突起６０が円筒部４４の間隙４６に嵌入して係止され、該回動ピボットはリーフ体４２とともに制動回転できる。パチスロ機１において、前扉７は筐体５から取り外し可能であり、前扉７を開閉する際に開閉のいずれの方向にも制動回動する。
【実施例２】
【００４２】
図１０は、本考案で用いるヒンジ機構の変形例であり、該ヒンジ機構は、抜き差し可能な垂直ピン４を有する上下方向に通常の差し込みヒンジ８，８と、両差し込みヒンジ８，８の間に設置した圧入型の制動ヒンジ７０とからなる。差し込みヒンジ８は、筐体５の側壁側にブラケット６２を介して設置した上向き固定の垂直ピン４と、前扉７側に設置した水平プレート４８で構成し、該水平プレートの垂直部６６を前扉７にボルト止めする。水平プレート４８には、垂直ピン４が抜き差し可能な円形のピン孔６４を穿孔する。
【００４３】
図１０に示す制動ヒンジ７０は、図５から図９に示す制動ヒンジ１０と類似している。制動ヒンジ７０において、このヒンジ本体は、回動ピボット７２を制動可能に垂直保持する矩形平面のブラケット７１を有し、該回動ピボットはブラケット７１内の制動筒体の回りで制動回転できる。ブラケット７１の側壁には、図示しないけれども、ネジ孔と２個の位置決め突片を形成し、該ネジ孔にボルトをねじ込んでブラケット７１を筐体５側に固着できる。
【００４４】
一方、独立部材であるリーフ体７４は、基部７５および円筒部７６からなる。円筒部７６は、垂直孔７８を形成するように帯状片を筒状に曲げ、さらに完全な円形にまで曲げないことでピボット係止用の間隙(図示しない)を設ける。基部７５には複数個のボルト孔(図示しない)を穿孔し、該ボルト孔に所定のボルトをねじ込んでリーフ体７４を前扉７側に固着する。
【００４５】
回動ピボット７２は細長い円柱形であって、リーフ体７４の円筒部７６に挿入しやすいようにその先端を円錐状に加工する。回動ピボット７２は、実施例１と同様に、金属シャフトをガラス繊維強化ナイロン製のプラグにインサートして一体化する。回動ピボット７２は、プラグ周壁において軸線と平行に直線状の突起８４を形成し、該突起はプラグ周壁から外方へ突出させ、リーフ体７４の円筒部７６が嵌めやすいように先端をテーパ状にする。
【００４６】
前扉７の取り付け時には、上下の差し込みヒンジ８，８において、水平プレート４８のピン孔６４を上向き固定の垂直ピン４と嵌合し、同時に中間位置の制動ヒンジ７０において、リーフ体７４の円筒部７６を回動ピボット７２と嵌合する。回動ピボット７２がリーフ体７４の円筒部７６に嵌入されると、突起８４が円筒部７６の間隙に嵌まることにより、該間隙が突起８４を挟み込んで回動ピボット７２を係止することにより、該回動ピボットはリーフ体７４とともに制動回転できる。パチスロ機１において、前扉７は筐体５から取り外し可能であり、前扉７を開閉する際に開閉のいずれの方向にも制動回動する。
【実施例３】
【００４７】
図１１および図１２には、締め付け型の制動ヒンジ１００を示し、該制動ヒンジのリーフ本体は実施例１または２と同様である。制動ヒンジ１００のヒンジ本体１０２は、前方部にボルト孔１０４，１０４を形成したプレート本体１０６を備え、該プレート本体の後方は左右突出部を直角に折り曲げた１対の支持部１０８，１０８を形成する。支持部１０８，１０８には、回動ピボット１１０の金属シャフト１１１（図１２)を挿入できる貫通孔（図示しない）を設け、該支持部の外側にＥリング１０９をそれぞれ取り付けて回動ピボット１１０の脱落を防止する。
【００４８】
支持部１０８，１０８間には、図１２に示すように、ピボット１１０の金属シャフト１１１に嵌装するプラスチック制動部材１１２と、該制動部材の外周面と対応する内周面を有する保持金具１１４とを配置する。ボルト１１６は、制動部材１１２および保持金具１１４の延長部１１７，１１８を通過し、プレート本体１０６のネジ孔１０７にねじ込まれる。制動部材１１２および保持金具１１４の横幅は、支持部１０８，１０８の内寸間隔にほぼ等しい。
【００４９】
制動部材１１２は、その内周面が円形断面である湾曲部１２０と、該湾曲部の両端から接線方向へ平行に延設する延長部１１７，１１７を備えることにより、ピボット１１０のシャフト１１１の周面と接触する湾曲部１２０の内周面が摩擦面となる。制動部材１１２の延長部１１７，１１７は、通常の状態で所定の縦間隙を有し、この間隙の存在によって湾曲部１２０の内方変形によるシャフト１１１の締め付けが可能となる。この縦間隙は、通常、挟着弾性片１２３の高さよりも狭くなるように定める。
【００５０】
保持金具１１４は、制動部材１１２の外周面と密接する湾曲部１２４および延長部１１８，１１８を有する。ボルト１１６が上方延長部１１８を下方へ作用することにより、保持金具１１４の湾曲部１２４を介して制動部材１１２を内方へ締め付ける。保持金具１１４の湾曲部１２４は、制動部材１１２の外周面のほぼ全体を取り囲む。延長部１１８，１１８は、図示のようなほぼ同じ長さであっても長さが異なっていてもよく、プレート本体１０６を横長に延長し、それを湾曲させて保持金具として利用することも可能である。
【００５１】
ボルト１１６を回すと、保持金具１１４および制動部材１１２を内方へ締め付け、該制動部材によってピボット１１０のシャフト１１１を制動する。ボルト１１６は、そのねじ込み量によって制動部材１１２に付与する制動力を容易且つ微妙に調整できる。保持金具が横長であれば、ボルト１１６を複数本立設することも可能である。弾性片１２３は、一般にバネ鋼製であり、制動部材１１２の延長部１１７，１１７間に介在させる。弾性片１２３は、ボルト１１６を緩めた際に、その弾力によって制動部材１１２の延長部１１７，１１７間を大きく開くことにより、ピボット１１０が自由回動することを可能とする。
【００５２】
回動ピボット１１０は細長い円柱形であって、リーフ体の円筒部に挿入しやすいようにその先端が円錐状である。回動ピボット１１０は、通常、金属シャフト１１１をガラス繊維強化ナイロン製のプラグ１１３にインサートして一体化する。回動ピボット１１０は、プラグ周壁において軸線と平行に直線状の突起１１５を形成し、該突起はプラグ周壁から外方へ突出させ、該リーフ体の円筒部が嵌めやすいように先端をテーパ状にする。
【００５３】
パチスロ機１において、制動ヒンジ１００のプレート本体１０６を筐体５の側壁側において、回動ピボット１１０が垂直に位置するようにボルト止めし、一方、制動ヒンジ１００のリーフ本体を前扉７側にボルト止めする。パチスロ機１において、前扉７は筐体５から取り外し可能であり、前扉７を開閉する際に開閉のいずれの方向にも制動回動する。
【実施例４】
【００５４】
図１３から図１５には、制動ディスク型の制動ヒンジ１２５を示し、該制動ヒンジのリーフ本体は実施例１または２と同様である。制動ヒンジ１２５のヒンジ本体１２６は、垂直部にボルト孔１２８，１２８を形成したＬ形金具１３０を備える。Ｌ形金具１３０の水平部１３２（図１４では垂直方向）には、回動ピボット１３３を挿入できる貫通孔１３４を設ける。
【００５５】
ヒンジ本体１２６では、ピボット１３３の下方部を適宜加工することを要する。ピボット１３３には、その下端から所定の長さにわたって軸方向に沿って周面の両側１３６，１３６を平行に切削した非円形軸部１３８が形成され（図１４参照）、さらに非円形軸部１３８において雄ねじ山１４０を刻設する。
【００５６】
ピボット１３３には、その下方から上方の金属ディスク１４２、上方の制動ディスク１４４、Ｌ形金具１３０の水平部１３２、下方の制動ディスク１４６、下方の金属ディスク１４８を順次嵌装する。上方の金属ディスク１４２は、ピボット１３３の非円形軸部１３８の上端部まで嵌装されて停止する。ピボット１３３には、さらに皿バネ１５０，１５０を介してナット１５２をねじ込む。制動ディスク１４４，１４６は、炭素含有のポリアセタール樹脂のような耐磨耗性エンジニアリングプラスチックの射出成形品であると好ましい。
【００５７】
制動ヒンジ１２５において、金属ディスク１４２，１４８は通常同一形状であり、両側面が平坦なほぼドーナツ状である。金属ディスク１４２，１４８には、ピボット１３３の非円形軸部１３８の断面に対応する非円形の貫通孔を設け、該金属ディスクをピボット１３３に嵌めると、該ピボットとともに回動・停止する。金属ディスク１４２，１４８は、制動部材ディスクよりも多少大きい外径を有する。
【００５８】
また、制動ディスク１４４，１４６も通常同一形状であり、両側面が平坦なドーナツ状である。制動ディスク１４４，１４６には、ピボット１３３が挿通可能な円形の貫通孔を設け、これは貫通孔１３４と同径であるので、該制動ディスクに対してピボット１３３は回動自在である。制動ディスク１４４，１４６がＬ形金具１３０とともに確実に停止できるように、該Ｌ形金具のの両側面に１対の回り止め用の突起１５４，１５４（図１５）をそれぞれ形成し、一方、両制動ディスクの対応側面に１対の凹み（図示しない）を設ける。制動ヒンジ１２５の全体をナット１５２で締め付けると、突起１５４，１５４は、制動ディスクの凹みの中にそれぞれ嵌り込む。
【００５９】
ヒンジ本体１２６を組み立ててナット１５２で締め付けると、皿バネ１５０，１５０によって制動ディスク１４４，１４６は弾性的に金属ディスク１４２，１４８で押圧される。この際に、制動ディスク１４４，１４６の突起１５４，１５４が水平部１３２の凹みの中に嵌り込む。前扉７を閉じると、ピボット１３３はリーフ体４２（図１）とともに回動し、さらに金属ディスク１４２，１４８も回動する。一方、両制動ディスク１４４，１４６は、Ｌ形金具１３０とともに静止している。
【００６０】
ヒンジ本体１２６は、プラスチック製の制動ディスク１４４，１４６を金属ディスク１４２，１４８と面接触させて機構全体を締め付けることにより、回動する金属ディスク１４２，１４８の側面と、静止する制動ディスク１４４，１４６の側面とが摩擦面となり、ピボット１３３を任意の回動位置で静止できる。制動ヒンジ１２５は、長期間安定して使用することができ、数万回の旋回試験に容易に耐えうる。
【００６１】
回動ピボット１３３は細長い円柱形であって、リーフ体４２の円筒部に挿入しやすいようにその先端が円錐状である。回動ピボット１３３は、通常、金属を切削加工した一体品である。回動ピボット１３３は、その周壁において軸線と平行に直線状の突起１５０を形成し、該突起はその周壁から外方へ突出させ、リーフ体の円筒部が嵌めやすいように先端をテーパ状にする。
【００６２】
パチスロ機１において、制動ヒンジ１２５のＬ形金具１３０を筐体５の側壁側において、該Ｌ形金具の水平部が水平になるようにボルト止めし、一方、制動ヒンジ１２５のリーフ本体を前扉７側にボルト止めする。パチスロ機１において、前扉７は筐体５から取り外し可能であり、前扉７を開閉する際に開閉のいずれの方向にも制動回動する。
【符号の説明】
【００６３】
１    パチスロ機
２    ヒンジ機構
３    開口部
４    垂直ピン
５    筐体
７    前扉
８    差し込みヒンジ
１０    制動ヒンジ
３４，３６    縦フレーム
３８    回動ピボット
４０    ヒンジ本体  
４２    リーフ体
４４    円筒部
４５    垂直孔
４６    間隙
５０    ブラケット
５２    垂直貫通孔
６０    突起
８８    プラスチック制動筒体
【図１】
0003187765.tif 000003
【図２】
0003187765.tif 000004
【図３】
0003187765.tif 000005
【図４】
0003187765.tif 000006
【図５】
0003187765.tif 000007
【図６】
0003187765.tif 000008
【図７】
0003187765.tif 000009
【図８】
0003187765.tif 000010
【図９】
0003187765.tif 000011
【図１０】
0003187765.tif 000012
【図１１】
0003187765.tif 000013
【図１２】
0003187765.tif 000014
【図１３】
0003187765.tif 000015
【図１４】
0003187765.tif 000016
【図１５】
0003187765.tif 000017